(57)【要約】      （修正有）【課題】郵便又は宅配で送信される定形封筒および定形外封筒の内容物或いは、タックス紙に返信情報を記載して同封送信し、返信用封筒として再度利用できる封筒を提供する。【解決手段】  封筒のフラップ部分を少し大きくし、そのフラップ部分に対応する封筒本体の定位置に返信するために貼付する内容物或いはタックス紙にあらかじめ郵便で返信するための郵便情報を、宅配で返信するための宅配情報を記載し、同封送信した封筒を受取人が返信或いは転送することができる封筒を提供。【選択図】図１
0003139636.tif 000002
【実用新案登録請求の範囲】
【請求項１】
封筒のフラップ部分を少し大きくし、そのフラップ部分に対応する封筒本体の定位置に返信若しくは転送するために貼付する内容物或いはタックス紙にあらかじめ郵便で返信するための郵便情報、若しくは転送するための郵便情報を、宅配で返信するための宅配情報若しくは宅配で転送する宅配情報を記載し、同封送信した封筒を受取人が返信或いは転送することが出来ることを特徴とする定形封筒および定形外封筒。
【請求項２】
フイルム封筒において、封筒を封緘して、開封後、再び封緘することができる、特殊粘着テープの粘着巾および特殊粘着テープの本数又は粘着箇所を適宜決定することを特徴とする請求項１に記載の定形封筒および定形外封筒。
【請求項３】
紙封筒において、封筒を封緘する粘着剤と、郵便情報又は、宅配情報を貼付する粘着剤の塗布巾および塗布箇所を適宜決定する事を特徴とする請求項１に記載の定形封筒および定形外封筒。
【請求項４】
封筒において封筒の封緘時、郵便情報又は宅配情報記載のタックス紙を受取人が返信若しくは、転送する場合に、返信用の情報若しくは転送用の情報と封緘の兼用を行うことができることを特徴とする定形封筒および定形外封筒。
【請求項５】
封筒において、少し大きくするフラップ部分に対応する封筒本体の定位置にあらかじめ返信用の切手若しくは宅配にかかわる伝票類を貼りフラップで覆い送信することを特徴とする定形封筒および定形外封筒。
【考案の詳細な説明】
【技術分野】
【０００１】本考案は、封筒特に返信用封筒に容易に変更する事の出来る送信用の封筒に関する。
【背景技術】
【０００２】郵便および宅配メール便により配達された手紙の内容に対して、アンケート等の返事が必要とする場合、送信用封筒の中に返信専用封筒および返信ハガキを同封して送信する事が行われていた。
【考案の開示】
【考案が解決しようとする課題】
【０００３】しかしながら上記従来の方法において、送信時に同封された、返信専用封筒および返信用ハガキが使用されず返信されなかった場合、返信専用封筒および返信ハガキは廃棄され資源の利用が無駄になると言う問題があった。【０００４】本考案の目的は、封筒の再利用と資源利用削減が出来る封筒を提供する事である。
【課題を解決するための手段】
【０００５】上記目的を達成する為に本考案の封筒は、請求項１において封筒のフラップを少し大きくして、そのフラップ部分に対応する封筒本体の定位置に返信若しくは転送するために貼付する内容物或いはタックス紙にあらかじめ郵便で返信するための郵便情報若しくは転送するための郵便情報を、宅配で返信するための宅配情報若しくは宅配で転送する宅配情報を記載し、同封送信した封筒を受取人が返信或いは転送する事が出来る事を特徴とする定形封筒及び定形外封筒は封筒を二回使用できる新しい方法で資源利用削減と利便性が向上できることである。請求項２において、フイルム封筒を封緘して、開封後再び封緘することができる、特殊粘着テープの粘着巾および特殊粘着テープの本数又は粘着箇所を、適宜決定する封筒を提供することにあり、請求項３において紙封筒を封緘する粘着剤と、郵便情報又は宅配情報を貼付する粘着剤の塗布巾および塗布箇所を適宜決定する封筒を提供することである。請求項４において封筒の封緘時、郵便情報又は宅配情報記載のタックス紙を受取人が返信若しくは転送する場合に、返信用の情報若しくは転送用の情報と封緘の兼用を行うことことができることで封緘が簡便である。請求項５において、少し大きくするフラップ部分に対応する封筒本体の定位置にあらかじめ返信用の切手若しくは宅配にかかわる伝票類を貼りフラップで覆い送信することで、受取人は返信するだけでよいので簡便である。
【考案の効果】
【０００６】本考案において、従来使用されている返信専用封筒が不要になり、資源の利用量は従来の二分の一の削減になり、資源利用削減効果の大きいことが本考案の効果である。
【考案を実施するための最良の形態】
【０００７】本考案の最良な実施形態は、フイルム封筒のフラップ部分を少し大きくし、そのフラップ部分に対応する封筒本体の定位置に返信若しくは転送するために貼付する内容物或いはタックス紙にあらかじめ郵便で返信するための郵便情報、若しくは転送するための郵便情報を、宅配で返信するための宅配情報若しくは宅配で転送する宅配情報を記載し、同封送信した封筒を受取人が返信或いは転送することができることを特徴とする定形封筒および定形外封筒であるから返信および転送が簡便な方法であり最適といえる。【０００８】また本考案の最良の実施形態は、フイルム封筒において、封筒を封緘して、開封後、再び封緘することができる、特殊粘着テープの粘着巾および特殊粘着テープの本数、又は粘着箇所を適宜決定することができるため簡便で最適である。【０００９】また本考案の最良の実施形態は、紙封筒において、封筒を封緘する粘着剤と郵便情報又は、宅配情報を貼付する粘着剤の塗布巾および塗布箇所を適宜決定することができるため簡便で最適である。【００１０】また本考案の最良の実施形態は、封筒の封緘時、郵便情報又は宅配情報記載のタックス紙を受取人が返信若しくは転送する場合に、返信用の情報若しくは転送用の情報と封緘の兼用を行うことができることで返信専用封筒が不要になり、経済的で最適である。【００１１】また本考案の最良の実施形態は、封筒において、少し大きくしたフラップ部分に対応する封筒本体の定位置にあらかじめ返信用の切手若しくは宅配にかかわる伝票類を貼りフラップで覆い送信することで受取人は、返信人若しくは転送人に対してポストに投函又は宅配集荷所に持ち込みする又は集荷してもらうのみで返信および転送ができ迅速・簡便で最適である。【００１２】本考案の最良の形態は、少し大きくするフラップ部分で覆う切手、および宅配にかかわる伝票類以外にも、フラップで覆う大きさに対応できる形式・形態で最適である。【００１３】また本考案の最良の実施形態は、フイルム封筒において、透明のフイルムに印刷して，紙封筒と同様の窓空き封筒形態をつくることが出来て最適である。
【実施例】以下、図面に従って本考案の資源利用削減封筒の実施例について説明する。【００１２】図１は、通常使用されている透明フイルム封筒のフラップ部分に一本のミシン目を入れてフラップを少し大きくすることに特徴がある封筒の正面図である。【００１３】図２は、封筒の中に封入する内容物を送信用の宛名情報である郵便用の郵便情報、又は宅配用の宅配情報を記載した内容物の正面図であるが、以下郵便用の郵便情報で説明する。【００１４】図３は、郵便用の郵便情報を記載した内容物を透明の封筒に封入し、正面から郵便情報が見えている封緘前の送信用の正面図である。【００１５】図４は、図２で示してある送信用の内容物の背面には、返信用の郵便情報が記載してあり、受取人が返信する場合、キリトリ線より切り取り、所定の箇所に貼付して返信或いは転送することができる内容物の背面図である。【００１６】図５は、フイルム封筒のフラップ部分を少し大きくした、フラップに対応する封筒本体に粘着巾の違う７の小さいテープと７Ａの大きいテープを粘着し、封入口の近傍にフラップを折りやすく折筋をもうけ、送信する封筒に図４で示してある返信郵便情報を貼付するために粘着巾の大きい７Ａのテープを設けている、また粘着巾の大きい７Ａのテープは送信時の封緘と返信時の返信情報を貼付することができる特殊粘着テープある。７の粘着巾の小さいテープは、受取人が返信するときの封緘用のテープを設けている封筒の背面図である。【００１７】図６は、図４に示してある返信郵便情報を貼付して封入、封緘した状態の封筒の背面図である。【００１８】図７は、タックス紙に郵便情報、又は宅配情報を記載した正面図である。【００１９】図８は、図７に示してある返信情報を貼付して、封入、封緘した状態の封筒の背面図である。【００２０】図９は、通常使用されている紙封筒のフラップ部分を少し大きくし、フラップ部分に開封する為の複数本のミシン目を入れて、フラップ部分を少し大きくすることに特徴がある窓開き横封筒の正面図である【００２１】。
図１０は封筒の中に封入する内容物を送信用の宛名情報である郵便用の郵便情報、又は宅配用の宅配情報を窓空き封筒の窓の部分に合致して表示できるように記載する内容物の正面図であるが、以下郵便用の郵便情報で説明する。【００２２】図１１は、郵便用の郵便情報を記載した内容物を窓空き封筒に封入し、正面から見えている封緘前の正面図である。【００２３】図１２は、図１０で示してある送信用の内容物の背面には、返信用の郵便情報が記載してあり、受取人が返信する場合は、キリトリ線より切り取り、所定の箇所に貼付して返信或いは転送することが出来る内容物の背面図である。【００２４】図１３は、紙封筒のフラップ部分を少し大きくした、フラップ部分に対応する窓空き横封筒本体に粘着剤の塗布巾の違う粘着剤１５と１５Ａを粘着し、図１２に示してある返信郵便情報を貼付する為に粘着剤の塗布巾の大きい１５Ａを設けている、また１５は粘着剤の塗布巾の小さい送信用のものであり、１５Ａで設けている塗布巾の大きい粘着剤の上には剥離紙をつけフラップ部分で覆い送信するものであり、受取人が返信時に、剥離紙を剥がし図１２に示してある返信郵便情報を貼付するとともに、封緘片も粘着する封筒の背面図である。【００２５】図１４は、図１２に示してある返信郵便情報を貼付して封入、封緘した状態の背面図である。【００２６】図１５は、タックス紙に郵便情報、又は宅配情報を記載した正面図である。【００２７】図１６は、図１５に示してある返信情報を貼付して封入、封緘した状態の背面図である。【００２８】図１から図８は、フイルム定形縦封筒の実施説明であるが、定形横封筒および定形外封筒も基本的には同様の実施である。【００２９】図９から図１６は、紙定形横封筒の実施説明であるが、定形縦封筒および定形外封筒も基本的には同様の実施である。【００３０】封筒の材質にある厚い板紙で作る板紙封筒も図９から図１６に示してあると同様の実施である。
【図面の簡単な説明】
【図１】本考案のフイルム封筒を示した説明概要図。
【図２】本考案の郵便情報、又は宅配情報を記載した内容物の説明概要図。
【図３】本考案の内容物を封入した封緘前の説明概要図。
【図４】本考案の図２に示した内容物の背面説明概要図。
【図５】本考案の図１に示した封筒の背面説明概要図。
【図６】本考案の返信情報を貼付した封筒の背面説明概要図。
【図７】本考案のタックス紙に情報を記載した正面説明概要図。
【図８】本考案の図７で示した返信情報を貼付した封筒の背面説明概要図。
【図９】本考案の紙封筒を示した説明概要図。
【図１０】本考案の郵便情報、又は宅配情報を記載した内容物の説明概要図。
【図１１】本考案の内容物を封入した封緘前の説明概要図。
【図１３】本考案の図９で示した封筒の背面説明概要図。
【図１４】本考案の返信情報を貼付した封筒の背面説明概要図。
【図１５】本考案のタックス紙に情報を記載した正面説明概要図。
【図１６】本考案の図１５で示した返信情報を貼付した封筒の背面説明概要図。
【符号の説明】
１    フイルム透明定形封筒
２    折筋
３    ミシン目、（紙封筒）１２、１２Ａ、１２Ｂ
４    フラップ（紙封筒）４Ａ
５    内容物５Ａ、（紙封筒）１３、１３Ａ
６    送信封筒面６Ａ、（紙封筒）１４
７    粘着テープ７Ａ
８    返信封筒面８Ａ、（紙封筒）１６、１８
９    タックス紙９、１７
１０  紙窓空き定形封筒１０Ａ
１１  窓空き部分
１２  粘着剤１５，１５Ａ
【図１】
0003139636.tif 000003
【図２】
0003139636.tif 000004
【図３】
0003139636.tif 000005
【図４】
0003139636.tif 000006
【図５】
0003139636.tif 000007
【図６】
0003139636.tif 000008
【図７】
0003139636.tif 000009
【図８】
0003139636.tif 000010
【図９】
0003139636.tif 000011
【図１０】
0003139636.tif 000012
【図１１】
0003139636.tif 000013
【図１２】
0003139636.tif 000014
【図１３】
0003139636.tif 000015
【図１４】
0003139636.tif 000016
【図１５】
0003139636.tif 000017
【図１６】
0003139636.tif 000018
【手続補正書】
【提出日】平成19年11月16日(2007.11.16)
【手続補正１】
【補正対象書類名】実用新案登録請求の範囲
【補正対象項目名】全文
【補正方法】変更
【補正の内容】
【実用新案登録請求の範囲】
【請求項１】
封筒のフラップ部分を少し大きくし、そのフラップ部分に対応する封筒本体の定位置に返信若しくは転送するために貼付する内容物或いはタックス紙にあらかじめ郵便で返信するための郵便情報、若しくは転送するための郵便情報を、宅配で返信するための宅配情報若しくは宅配で転送する宅配情報を記載し、同封送信した封筒を受取人が返信或いは転送することが出来ることを特徴とする送信用の封筒。
【請求項２】
フイルム封筒において、封筒を封緘して、開封後、再び封緘することができる、特殊粘着テープの粘着巾および特殊粘着テープの本数又は粘着箇所を適宜決定することを特徴とする請求項１に記載の送信用の封筒。
【請求項３】
紙封筒において、封筒を封緘する粘着剤と、郵便情報又は、宅配情報を貼付する粘着剤の塗布巾および塗布箇所を適宜決定する事を特徴とする請求項１に記載の送信用の封筒。
【請求項４】
前記タックス紙で封筒を封緘したことを特徴とする請求項１〜３のいずれかに記載の送信用の封筒。
【請求項５】
封筒において、少し大きくするフラップ部分に対応する封筒本体の定位置にあらかじめ返信用の切手若しくは宅配にかかわる伝票類を貼った際に、前記切手若しくは宅配にかかわる伝票類を覆う事の出来る大きさのフラップとする事を特徴とする送信用の封筒。
【手続補正２】
【補正対象書類名】明細書
【補正対象項目名】全文
【補正方法】変更
【補正の内容】
【考案の詳細な説明】
【技術分野】
【０００１】本考案は、封筒特に返信用封筒に容易に変更する事の出来る送信用の封筒に関する。
【背景技術】
【０００２】郵便および宅配メール便により配達された手紙の内容に対して、アンケート等の返事が必要とする場合、送信用封筒の中に返信専用封筒および返信ハガキを同封して送信する事が行われていた。
【考案の開示】
【考案が解決しようとする課題】
【０００３】しかしながら上記従来の方法において、送信時に同封された、返信専用封筒および返信用ハガキが使用されず返信されなかった場合、返信専用封筒および返信ハガキは廃棄され資源の利用が無駄になると言う問題があった。【０００４】本考案の目的は、封筒の再利用と資源利用削減が出来る封筒を提供する事である。
【課題を解決するための手段】
【０００５】上記目的を達成する為に本考案の封筒は、請求項１において封筒のフラップを少し大きくして、そのフラップ部分に対応する封筒本体の定位置に返信若しくは転送するために貼付する内容物或いはタックス紙にあらかじめ郵便で返信するための郵便情報若しくは転送するための郵便情報を、宅配で返信するための宅配情報若しくは宅配で転送する宅配情報を記載し、同封送信した封筒を受取人が返信或いは転送する事が出来る事を特徴とする送信用の封筒は封筒を二回使用できる新しい方法で資源利用削減と利便性が向上できることである。請求項２において、フイルム封筒を封緘して、開封後再び封緘することができる、特殊粘着テープの粘着巾および特殊粘着テープの本数又は粘着箇所を、適宜決定する封筒を提供することにあり、請求項３において紙封筒を封緘する粘着剤と、郵便情報又は宅配情報を貼付する粘着剤の塗布巾および塗布箇所を適宜決定する封筒を提供することである。請求項４において封筒の封緘時、タックス紙で、封筒の封緘を行うことことができることで簡便である。請求項５において、少し大きくするフラップ部分に対応する封筒本体の定位置にあらかじめ返信用の切手若しくは宅配にかかわる伝票類を貼りフラップで覆い送信することで、受取人は返信するだけでよいので簡便である。
【考案の効果】
【０００６】本考案において、従来使用されている返信専用封筒が不要になり、資源の利用量は従来の二分の一の削減になり、資源利用削減効果の大きいことが本考案の効果である。
【考案を実施するための最良の形態】
【０００７】本考案の最良な実施形態は、フイルム封筒のフラップ部分を少し大きくし、そのフラップ部分に対応する封筒本体の定位置に返信若しくは転送するために貼付する内容物或いはタックス紙にあらかじめ郵便で返信するための郵便情報、若しくは転送するための郵便情報を、宅配で返信するための宅配情報若しくは宅配で転送する宅配情報を記載し、同封送信した封筒を受取人が返信或いは転送することができることを特徴とする送信用の封筒であるから返信および転送が簡便な方法であり最適といえる。【０００８】また本考案の最良の実施形態は、フイルム封筒において、封筒を封緘して、開封後、再び封緘することができる、特殊粘着テープの粘着巾および特殊粘着テープの本数、又は粘着箇所を適宜決定することができるため簡便で最適である。【０００９】また本考案の最良の実施形態は、紙封筒において、封筒を封緘する粘着剤と郵便情報又は、宅配情報を貼付する粘着剤の塗布巾および塗布箇所を適宜決定することができるため簡便で最適である。【００１０】また本考案の最良の実施形態は、封筒の封緘時、タックス紙で封筒の封緘ができることで、返信専用封筒が不要になり、経済的で最適である。【００１１】また本考案の最良の実施形態は、封筒において、少し大きくしたフラップ部分に対応する封筒本体の定位置にあらかじめ返信用の切手若しくは宅配にかかわる伝票類を貼りフラップで覆い送信することで受取人は、返信人若しくは転送人に対してポストに投函又は宅配集荷所に持ち込みする又は集荷してもらうのみで返信および転送ができ迅速・簡便で最適である。【００１２】本考案の最良の形態は、少し大きくするフラップ部分で覆う切手、および宅配にかかわる伝票類以外にも、フラップで覆う大きさに対応できる形式・形態で最適である。【００１３】また本考案の最良の実施形態は、フイルム封筒において、透明のフイルムに印刷して，紙封筒と同様の窓空き封筒形態をつくることが出来て最適である。
【実施例】以下、図面に従って本考案の資源利用削減封筒の実施例について説明する。【００１４】図１は、通常使用されている透明フイルム封筒のフラップ部分に一本のミシン目を入れてフラップを少し大きくすることに特徴がある封筒の正面図である。【００１５】図２は、封筒の中に封入する内容物を送信用の宛名情報である郵便用の郵便情報、又は宅配用の宅配情報を記載した内容物の正面図であるが、以下郵便用の郵便情報で説明する。【００１６】図３は、郵便用の郵便情報を記載した内容物を透明の封筒に封入し、正面から郵便情報が見えている封緘前の送信用の正面図である。【００１７】図４は、図２で示してある送信用の内容物の背面には、返信用の郵便情報が記載してあり、受取人が返信する場合、キリトリ線より切り取り、所定の箇所に貼付して返信或いは転送することができる内容物の背面図である。【００１８】図５は、フイルム封筒のフラップ部分を少し大きくした、フラップに対応する封筒本体に粘着巾の違う７の小さいテープと７Ａの大きいテープを粘着し、封入口の近傍にフラップを折りやすく折筋をもうけ、送信する封筒に図４で示してある返信郵便情報を貼付するために粘着巾の大きい７Ａのテープを設けている、また粘着巾の大きい７Ａのテープは送信時の封緘と返信時の返信情報を貼付することができる特殊粘着テープある。７の粘着巾の小さいテープは、受取人が返信するときの封緘用のテープを設けている封筒の背面図である。【００１９】図６は、図４に示してある返信郵便情報を貼付して封入、封緘した状態の封筒の背面図である。【００２０】図７は、タックス紙に郵便情報、又は宅配情報を記載した正面図である。【００２１】図８は、図７に示してある返信情報を貼付して、封入、封緘した状態の封筒の背面図である。【００２２】図９は、通常使用されている紙封筒のフラップ部分を少し大きくし、フラップ部分に開封する為の複数本のミシン目を入れて、フラップ部分を少し大きくすることに特徴がある窓開き横封筒の正面図である【００２３】図１０は封筒の中に封入する内容物を送信用の宛名情報である郵便用の郵便情報、又は宅配用の宅配情報を窓空き封筒の窓の部分に合致して表示できるように記載する内容物の正面図であるが、以下郵便用の郵便情報で説明する。【００２４】図１１は、郵便用の郵便情報を記載した内容物を窓空き封筒に封入し、正面から見えている封緘前の正面図である。【００２５】図１２は、図１０で示してある送信用の内容物の背面には、返信用の郵便情報が記載してあり、受取人が返信する場合は、キリトリ線より切り取り、所定の箇所に貼付して返信或いは転送することが出来る内容物の背面図である。【００２６】図１３は、紙封筒のフラップ部分を少し大きくした、フラップ部分に対応する窓空き横封筒本体に粘着剤の塗布巾の違う粘着剤１５と１５Ａを粘着し、図１２に示してある返信郵便情報を貼付する為に粘着剤の塗布巾の大きい１５Ａを設けている、また１５は粘着剤の塗布巾の小さい送信用のものであり、１５Ａで設けている塗布巾の大きい粘着剤の上には剥離紙をつけフラップ部分で覆い送信するものであり、受取人か゛返信時に、剥離紙を剥がし図１２に示してある返信郵便情報を貼付するとともに、封緘片も粘着する封筒の背面図である。【００２７】図１４は、図１２に示してある返信郵便情報を貼付して封入、封緘した状態の背面図である。【００２８】図１５は、タックス紙に郵便情報、又は宅配情報を記載した正面図である。【００２９】図１６は、図１５に示してある返信情報を貼付して封入、封緘した状態の背面図である。【００３０】から図８は、フイルム定形縦封筒の実施説明であるが、定形横封筒および定形外封筒も基本的には同様の実施である。【００３１】図９から図１６は、紙定形横封筒の実施説明であるが、定形縦封筒および定形外封筒も基本的には同様の実施である。【００３２】封筒の材質にある厚い板紙で作る板紙封筒も図９から図１６に示してあると同様の実施である。
【図面の簡単な説明】
【００３３】
【図１】本考案のフイルム封筒を示した説明概要図。
【図２】本考案の郵便情報、又は宅配情報を記載した内容物の説明概要図。
【図３】本考案の内容物を封入した封緘前の説明概要図。
【図４】本考案の図２に示した内容物の背面説明概要図。
【図５】本考案の図１に示した封筒の背面説明概要図。
【図６】本考案の返信情報を貼付した封筒の背面説明概要図。
【図７】本考案のタックス紙に情報を記載した正面説明概要図。
【図８】本考案の図７で示した返信情報を貼付した封筒の背面説明概要図。
【図９】本考案の紙封筒を示した説明概要図。
【図１０】本考案の郵便情報、又は宅配情報を記載した内容物の説明概要図。
【図１１】本考案の内容物を封入した封緘前の説明概要図。
【図１２】本考案の郵便情報、又は宅配情報を記載した内容物の説明概要図。
【図１３】本考案の図９で示した封筒の背面説明概要図。
【図１４】本考案の返信情報を貼付した封筒の背面説明概要図。
【図１５】本考案のタックス紙に情報を記載した正面説明概要図。
【図１６】本考案の図１５で示した返信情報を貼付した封筒の背面説明概要図。
【符号の説明】
【００３４】１  フイルム透明定形封筒
２  折筋
３  ミシン目、（紙封筒）１２、１２Ａ、１２Ｂ
４  フラップ（紙封筒）４Ａ
５  内容物５Ａ、（紙封筒）１３、１３Ａ
６  送信封筒面６Ａ、（紙封筒）１４
７  粘着テープ７Ａ
８  返信封筒面８Ａ、（紙封筒）１６、１８
９  タックス紙９、１７
１０  紙窓空き定形封筒１０Ａ
１１  窓空き部分
１２  粘着剤１５，１５Ａ
【手続補正３】
【補正対象書類名】図面
【補正対象項目名】全図
【補正方法】変更
【補正の内容】
【図１】
0003139636.tif 000019
【図２】
0003139636.tif 000020
【図３】
0003139636.tif 000021
【図４】
0003139636.tif 000022
【図５】
0003139636.tif 000023
【図６】
0003139636.tif 000024
【図７】
0003139636.tif 000025
【図８】
0003139636.tif 000026
【図９】
0003139636.tif 000027
【図１０】
0003139636.tif 000028
【図１１】
0003139636.tif 000029
【図１２】
0003139636.tif 000030
【図１３】
0003139636.tif 000031
【図１４】
0003139636.tif 000032
【図１５】
0003139636.tif 000033
【図１６】
0003139636.tif 000034